(57)【要約】【課題】  設定されたレーザ照射時間通りにレーザ光を照射することができるレーザ治療装置を提供すること。【解決手段】  レーザ光源からのレーザ光を患部に照射するレーザ治療装置において、治療に使用するレーザ光の照射時間を設定する設定手段と、前記レーザ光源から出射したレーザ光を遮光する開閉自在な遮光部材と、該遮光部材を開閉駆動する駆動手段と、レーザ光を患部に照射するためのトリガ信号を入力する信号入力手段と、前記トリガ信号に応答して前記駆動手段を制御し，前記設定手段により設定された照射時間に対応する駆動時間だけ前記遮光部材を開閉駆動させる制御手段と、前記駆動手段の駆動制御により前記遮光部材が開放された時間を検出する検出手段と、該記検出手段により検出された時間に基づいて次に前記駆動手段を駆動制御する駆動時間を補正する補正手段と、を備える。【選択図】      図５
2005237709.tif 000002
【特許請求の範囲】
【請求項１】
レーザ光源からのレーザ光を患部に照射するレーザ治療装置において、治療に使用するレーザ光の照射時間を設定する設定手段と、前記レーザ光源から出射したレーザ光を遮光する開閉自在な遮光部材と、該遮光部材を開閉駆動する駆動手段と、レーザ光を患部に照射するためのトリガ信号を入力する信号入力手段と、前記トリガ信号に応答して前記駆動手段を制御し，前記設定手段により設定された照射時間に対応する駆動時間だけ前記遮光部材を開閉駆動させる制御手段と、前記駆動手段の駆動制御により前記遮光部材が開放された時間を検出する検出手段と、該記検出手段により検出された時間に基づいて次に前記駆動手段を駆動制御する駆動時間を補正する補正手段と、を備えることを特徴とするレーザ治療装置。
【請求項２】
請求項１の補正手段は、前記設定手段により設定された照射時間と前記検出手段により検出された時間との時間差を演算し、その時間差だけ次に前記駆動手段を駆動制御する駆動時間を補正することを特徴とするレーザ治療装置。
【請求項３】
請求項１の検出手段は、前記遮光部材より患部側の光路にはレーザ光の光路を分岐する光路分岐部材と、該前記光路分岐部材を介して前記遮光部材を通過したレーザ光を受光する受光素子とを持ち、前記受光素子からの出力に基づいて前記遮光部材が開放された時間を検出することを特徴とするレーザ治療装置。
【請求項４】
請求項１のレーザ治療装置において、前記検出手段は前記遮光部材の開閉動作を検知する検知器を持ち、該検知器の検知信号に基づいて前記遮光部材の動作時間を検出する手段であり、前記補正手段は、前記設定手段により設定された照射時間に対応して定められる前記遮光部材の動作時間と前記検出手段により検出された動作時間との差を演算し、その時間差だけ次に前記駆動手段を駆動制御する駆動時間を補正することを特徴とするレーザ治療装置。
【請求項５】
請求項２又は４の何れかの補正手段は、複数回のレーザ照射で前記検出手段により検出された時間の平均を補正に使用することを特徴とするレーザ治療装置。
【請求項６】
請求項１のレーザ治療装置において、前記設定手段により設定された照射時間に対応して定められる前記遮光部材の動作時間と前記検出手段により検出される時間との許容差を予め記憶させる第１記憶手段と、前記設定手段により設定された照射時間に対応して定められる前記遮光部材の動作時間と前記検出手段により検出された時間との時間差を記憶する第２記憶手段と、前記時間差を予め記憶された所定の許容差と比較する比較手段と、該比較手段により前記時間差が前記許容差を超えている場合には前記駆動手段の異常を報知する報知手段と、第２記憶手段に記憶された時間差を表示する表示手段と、を備えることを特徴とするレーザ治療装置。
【発明の詳細な説明】
【技術分野】
【０００１】
本発明は、患部にレーザ光を照射することにより治療を行うレーザ治療装置に関する。
【背景技術】
【０００２】
レーザ治療装置には、レーザ光源から出射されるレーザ光の光軸上にレーザ光を遮断するシャッタを挿脱可能に設け、ソレノイド等の駆動手段によりシャッタを開閉し、設定されたレーザ照射時間だけシャッタを開いてレーザ光を外部に出射するように制御するものがある。また、シャッタにフォトインタラプタ等の光学センサを設け、シャッタの開閉が検知できるようにしているものもある。（例えば、特許文献１参照。）。
【特許文献１】特開２００３−２２５２５８号公報
【発明の開示】
【発明が解決しようとする課題】
【０００３】
しかしながら、シャッタを駆動するソレノイド等の駆動手段やシャッタをソレノイドの駆動方向とは逆向きに付勢するバネが、装置を使用している間に経年変化で劣化し、その応答速度や特性が変化して、実際のレーザ光の照射時間が設定されたものとずれてしまうという問題があった。
【０００４】
本発明は、上記従来技術の問題点に鑑み、設定されたレーザ照射時間通りにレーザ光を照射することができるレーザ治療装置を提供することを技術課題とする。
【課題を解決するための手段】
【０００５】
上記課題を解決するために、本発明は以下のような構成を備えることを特徴とする。
【０００６】
（１）  レーザ光源からのレーザ光を患部に照射するレーザ治療装置において、治療に使用するレーザ光の照射時間を設定する設定手段と、前記レーザ光源から出射したレーザ光を遮光する開閉自在な遮光部材と、該遮光部材を開閉駆動する駆動手段と、レーザ光を患部に照射するためのトリガ信号を入力する信号入力手段と、前記トリガ信号に応答して前記駆動手段を制御し，前記設定手段により設定された照射時間に対応する駆動時間だけ前記遮光部材を開閉駆動させる制御手段と、前記駆動手段の駆動制御により前記遮光部材が開放された時間を検出する検出手段と、該記検出手段により検出された時間に基づいて次に前記駆動手段を駆動制御する駆動時間を補正する補正手段と、を備えることを特徴とする。
【０００７】
（２）  （１）の補正手段は、前記設定手段により設定された照射時間と前記検出手段により検出された時間との時間差を演算し、その時間差だけ次に前記駆動手段を駆動制御する駆動時間を補正することを特徴とする。
【０００８】
（３）  （１）の検出手段は、前記遮光部材より患部側の光路にはレーザ光の光路を分岐する光路分岐部材と、該前記光路分岐部材を介して前記遮光部材を通過したレーザ光を受光する受光素子とを持ち、前記受光素子からの出力に基づいて前記遮光部材が開放された時間を検出することを特徴とする。
【０００９】
（４）  （１）のレーザ治療装置において、前記検出手段は前記遮光部材の開閉動作を検知する検知器を持ち、該検知器の検知信号に基づいて前記遮光部材の動作時間を検出する手段であり、前記補正手段は、前記設定手段により設定された照射時間に対応して定められる前記遮光部材の動作時間と前記検出手段により検出された動作時間との差を演算し、その時間差だけ次に前記駆動手段を駆動制御する駆動時間を補正することを特徴とする。
【００１０】
（５）  （２）又は（４）の何れかの補正手段は、複数回のレーザ照射で前記検出手段により検出された時間の平均を補正に使用することを特徴とする。
【００１１】
（６）  （１）のレーザ治療装置において、前記設定手段により設定された照射時間に対応して定められる前記遮光部材の動作時間と前記検出手段により検出される時間との許容差を予め記憶させる第１記憶手段と、前記設定手段により設定された照射時間に対応して定められる前記遮光部材の動作時間と前記検出手段により検出された時間との時間差を記憶する第２記憶手段と、前記時間差を予め記憶された所定の許容差と比較する比較手段と、該比較手段により前記時間差が前記許容差を超えている場合には前記駆動手段の異常を報知する報知手段と、第２記憶手段に記憶された時間差を表示する表示手段と、を備えることを特徴とする。
【発明の効果】
【００１２】
以上のように、本発明によれば、装置を長い期間に使用しても設定されたレーザ照射時間通りにレーザ光を照射することができる。
【発明を実施するための最良の形態】
【００１３】
本発明の一実施例を図面に基づいて説明する。図１はレーザ光凝固装置の外観構成の概略図である。１は装置本体であり、レーザ光源やレーザ光を光ファイバ２に入射させる光学系が収納されている。３はレーザ出力や照射時間、波長の切替え等の光凝固条件の設定及び表示、装置の状態等の表示を行うためのコントロールボックスである。４は患者眼を観察しながらレーザ光を患者眼の患部に照射するスリットランプデリバリであり、光ファイバ２に導光されたレーザ光を照射するレーザ照射部５、患者眼を照明する照明部６、患者眼を観察する双眼の顕微鏡部４ａを備える。７はレーザ照射のトリガ信号を送出するフットスイッチである。
【００１４】
図２は装置本体１の光学系を説明する図ある。９はレーザ光源であり、その内部には図４に示す様にＮｄ：ＹＡＧ結晶（以下、単にロッドともいう）２１、励起光源である半導体レーザ（以下、単にＬＤ（Laser Diode）ともいう）２２、波長変換器である非線形結晶（以下、単にＮＬＣ（Non Linear Crystal）ともいう）２３ａ〜２３ｃ、全反射ミラー（以下、単にＨＲ（High Reflector）ともいう）２４ａ〜２４ｆ、出力ミラー２５が備えられている。
【００１５】
Ｎｄ：ＹＡＧ結晶２１は励起光源からの励起光により、近赤外域の複数の発振線（ピーク波長）を持つ光を放出する。複数の発振線の内で出力が高い、約１０６４ｎｍ、約１１２３ｎｍ、約１３１９ｎｍの３つの発振線における第二高調波を、非線形結晶を利用して発生させることにより、約５３２ｎｍ（緑）、約５６１ｎｍ（黄）、及び約６５９ｎｍ（赤）の３色のレーザ光を出射させる。
【００１６】
ロッド２１が配置される光軸Ｌ３の光路の一端にはＨＲ２４ａが設けられ、他端には出力ミラー２５が所定角度だけ傾けて設けられている。ＨＲ２４ａは１０６４ｎｍ〜１３１９ｎｍの波長に対して全反射の特性を持つものである。出力ミラー２５は１０６４ｎｍ〜１３１９ｎｍの波長を全反射するとともに、５３２ｎｍ〜６５９ｎｍを透過する特性を持つ。出力ミラー２５の反射方向の光軸Ｌ４上には、ＮＬＣ２３ａとＨＲ２４ｄが固定されて設けられている。ＮＬＣ２３ａは１３１９ｎｍの波長に対して、その第二高調波である６５９ｎｍの波長を発生させるように配置されている。ＨＲ２４ｄは１３１９ｎｍ及び６５９ｎｍに対して全反射の特性を持つ。このような光学配置により、ロッド２１を挟んで光軸Ｌ３のＨＲ２４ａと光軸Ｌ４上のＨＲ２４ｄが対向する一対の共振器構造を持つ第１の共振光学系が構成され、ＮＬＣ２３ａによって発生される第二高調波の６５９ｎｍを出射する。
【００１７】
光軸Ｌ４上の出力ミラー２５とＮＬＣ２３ａとの間には、ＨＲ２４ｅが挿脱可能に配置される。ＨＲ２４ｅは１０６４ｎｍ及び５３２ｎｍに対して全反射の特性を持つ。ＨＲ２４ｅの反射方向の光軸Ｌ５上には、ＮＬＣ２３ｂとＨＲ２４ｂが固定的に設けられている。ＮＬＣ２３ｂは１０６４ｎｍの波長に対して、その第二高調波である５３２ｎｍの波長を発生させるように配置されている。ＨＲ２４ｂは２４ｅと同じく１０６４ｎｍ及び５３２ｎｍに対して全反射の特性を持つ。このような光学配置により、ＨＲ２４ｅが光軸Ｌ４上に挿入された時には、第１の共振光学系のＨＲ２４ａ、ロッド２１、出力ミラー２５を共用し、ＨＲ２４ａとＨＲ２４ｂとがロッド２１を挟んで一対の共振器となる第２の共振光学系が構成され、ＮＬＣ２３ｂによって発生される第二高調波の５３２ｎｍを出射する。
【００１８】
光軸Ｌ４上でＨＲ２４ｅが挿脱される位置とＮＬＣ２３ａとの間には、ＨＲ２４ｆが挿脱可能に配置される。ＨＲ２４ｆは１１２３ｎｍ及び５６１ｎｍに対して全反射の特性を持つ。ＨＲ２４ｆの反射方向の光軸Ｌ６上には、ＮＬＣ２３ｃとＨＲ２４ｃが固定的に設けられている。ＮＬＣ２３ｃは１１２３ｎｍの波長に対して、その第二高調波である５６１ｎｍを発生するように配置されている。ＨＲ２４ｃはＨＲ２４ｆと同じく１１２３ｎｍ及び５６１ｎｍに対して全反射の特性を持つ。このような光学配置により、ＨＲ２４ｆが光軸Ｌ４上に挿入された時には、第１の共振光学系のＨＲ２４ａ、ロッド２１、出力ミラー２５を共用し、ＨＲ２４ａとＨＲ２４ｃとがロッド２１を挟んで一対の共振器となる第３の共振光学系が構成され、ＮＬＣ２３ｃによって発生される第二高調波の５６１ｎｍを出射する。
【００１９】
図２において、１１はレーザ光源９からのレーザ光の入射角をブリュースタ角（56.8°）から角度θ＝4.8°ずらし、角度θ＝52°に配置された光分割部材としての透明ガラス板である。入射角をブリュースタ角から角度θ＝4.8°ずらすことによって、ガラス板１１ではＰ偏光成分の一部が０.１〜０.５％程度反射される。本実施の形態では、０.１％程度の反射量である。残りのＰ偏光成分はガラス板１１を透過する。また、Ｓ偏光成分は、約８割が透過し、約２割が反射する。レーザ光源９から出射されるレーザ光の多くは、１０００：１程度の偏光比を持つ直線偏光であるため、約１／１０００のＰ偏光成分をガラス板１１の反射により取出すことができる。
【００２０】
治療用レーザ光として利用するＰ偏光成分のほぼ全てとＳ偏光成分の約８割のレーザ光は、ガラス板１１を透過して光軸Ｌ１の光路を通る。光軸Ｌ１上には波長約５３２ｎｍ（緑）、波長約５６１ｎｍ（黄）及び波長約６５９ｎｍ（赤）の３波長に対応した１／２波長板３２が設けられており、１／２波長板３２によりＰ偏光がＳ偏光成分に、Ｓ偏光がＰ偏光成分に変えられる。
【００２１】
また、光軸Ｌ１上にはＰ偏光成分を透過し、Ｓ偏光成分を反射する偏光子１５が設けられ、偏光子１５を透過したＰ偏光成分はディフューザ３３に入射する。ディフューザ３３は治療用レーザ光の出力を減少させるために不要となったレーザ光を吸収する役目をしている。１／２波長板３２は駆動部３２ａにより回転され、１／２波長板３２の回転角度と偏光子１５とにより偏光子１５で反射されるＳ偏光成分の光量が変わり、レーザ光源９からのレーザ光の出力が減衰されることによって、治療用レーザ光の光量（出力）が調整される。
【００２２】
偏光子１５を反射した光路には、ビームスプリッタ３６、Ｓ偏光を反射させ、Ｐ偏光を透過する光学偏光合成部材としての偏光子１６が配置されている。ビームスプリッタ３６はＳ偏光成分の一部を反射させて、残りを透過する。ビームスプリッタ３６を反射した光路上には、Ｓ偏光成分のみを通過させる偏光板３８、受光素子である出力センサ３７が配置されている。出力センサ３７により、治療レーザ光の出力がモニタされる。
【００２３】
また、ビームスプリッタ３６と偏光子１６の間には治療光用シャッタユニット１７が配置され、治療用レーザ光が必要でない時は、図３、図５に示すソレノイド６７の駆動により遮光板１７ｃがレーザ光の光路に挿入されてレーザ光を遮光する。この遮光板１７ｃの開閉はシャッタ閉センサ１７ａ、シャッタ開センサ１７ｂによって検知される。本実施の形態では、シャッタ閉センサ１７ａ、シャッタ開センサ１７ｂはフォトインタラプタである。図５に示す様に、遮光板１７ｃの動きは制限板１７ｄ、１７ｅによって制限され、遮光板１７ｃは本体１に固定されたバネ支基１７ｇに取り付けられた引張りバネ１７ｆにより制限板１７ｄ側に付勢されている。遮光板１７ｃは、遮光板１７ｃが制限板１７ｄ側に付勢された位置で光軸Ｌ１上を進むレーザ光を遮光している。
【００２４】
エイミング光に利用されるＰ偏光成分はガラス板１１で反射された後、ミラー１２で反射され光軸Ｌ２を進む。ガラス板１１で反射されたＳ偏光成分は、Ｐ偏光成分のみを通過するように配置された偏光板４０でカットされる。４１は、偏光板駆動部４１ａによって回転駆動される偏光板である。偏光板４１の回転角度により偏光板４１を透過するＰ偏光成分の光量が変わり、エイミング光の光量（出力）が調整される。光軸Ｌ２上には、光軸Ｌ１と光軸Ｌ２の光路長の差を補正するための補正レンズ１３が置かれている。
【００２５】
偏光板４１を通過したＰ偏光成分エイミング光は、ほとんどが偏光子１６を通過して光軸Ｌ１側の治療用レーザ光と合成されるが、一割程度は偏光子１６で反射し、エイミング光用出力センサ３５に入射する。
【００２６】
１０は安全シャッタであり、駆動装置６１の駆動により光路から離脱してレーザ光の通過を可能にし、また、異常発生時等の所定の場合に光路に挿入されてレーザ光を遮断する。この安全シャッター１０の開閉はシャッタセンサ１０ａによって検知される。
【００２７】
１８は集光レンズであり、レーザ光を光ファイバ２の入射端面に集光、入射させる。光ファイバ２によってスリットランプデリバリ４に導光されたレーザ光は、レーザ照射部５を経て患者眼の患部に照射される。
【００２８】
図３において、６０は制御部であり、レーザ光源９、フットスイッチ７、コントロールボックス３、各センサ、各駆動装置等が接続されている。コントロールボックス３には、レーザ出力を設定する回転ノブ３ａ、エイミング光の光量を設定するスイッチ３ｂ、治療レーザ光の波長（色）を選択するカラースイッチ３ｃ、レーザ照射の可能／不可能の状態を切換えるスイッチ３ｄ、照射時間を設定するスイッチ３ｅが設けられている。その他、コントロールボックス３にはレーザ照射のインターバル時間等のレーザ照射条件を設定するスイッチ及び表示部が設けられているが、図３では図示を略している。治療光用シャッタユニット１７の遮光板１７ｃはフットスイッチ７が押されたときに、設定されたレーザ照射時間だけ開けられる。
【００２９】
以上のような構成を持つ装置の動作を説明する。レーザ照射に際して、術者はコントロールボックス３の各スイッチを操作して、レーザ光の波長選択、レーザ出力等の照射条件等を設定しておく。照射時間については、スイッチ３ｅにて調整する。レーザ光の波長選択は、カラースイッチ３ｃを使用して治療目的に応じたもの（赤、黄、緑）を選択する。レーザ光が選択されると、レーザ光源９から選択された波長のレーザ光が出射される。尚、電源投入時には、治療光用シャッタユニット１７の遮光板１７ｃは閉じた状態である。
【００３０】
スイッチ３ｂをＯＮ（エイミング光が０でない状態）にすると、制御部６０は、駆動装置６１の駆動により安全シャッター１０を開ける。
【００３１】
レーザ光源９から出射されるレーザ光のうち、０.１％程度のＰ偏光成分はガラス板１１で反射され、ミラー１２で反射され光軸Ｌ２上を進む。ガラス板１１を透過した光軸Ｌ１上を進むＰ偏光成分は、遮光板１７ｃで遮断される。スイッチ３ｂによって調整されたエイミング光量となるように、制御部６０はエイミング光用出力センサ３５からの信号を基に、偏光板駆動部４１ａにより偏光板４１を回転させて偏光板４０を透過してきたＰ偏光成分のエイミング光を減衰させ、出力端に導かれるエイミング用レーザ光の光量を変える。エイミング用レーザ光は光ファイバ２を通り、スリットランプデリバリ４のレーザ照射部５に導光される。
【００３２】
術者はスリットランプデリバリ４により患者眼眼底とエイミング光を観察し、患部に照準合わせを行う。その後、スイッチ３ｄを押して装置の動作モードをSTANDBY 状態からREADY状態にして治療用レーザ光照射可能状態とする。動作モードがREADY状態になると、制御部６０は、所定の出力状態にする。制御部６０は、駆動部３２ａによって１／２波長板３２を回転し、１／２波長板３２の回転角度と偏光子１５とにより、偏光子１５で反射されるＳ偏光成分の光量を変え、出力センサ３７からの出力信号を基に、回転ノブ３ａにより設定された出力設定値になるように治療用レーザ光の出力を調整する。
【００３３】
術者がフットスイッチ７を踏み込むと、その信号がトリガ信号となり、制御部６０はソレノイド６７を駆動し、遮光板１７ｃが引張りバネ１７ｆの不勢力に抗して回転され、レーザ光が治療光用シャッタユニット１７を通過する。フットスイッチ７が踏み込まれると、遮光板１７ｃは、スイッチ３ｅにより設定されたレーザ照射時間だけレーザ光が照射されるように開けられる。
【００３４】
制御部６０は回転ノブ３ａにより設定されたレーザ出力になるように、出力センサ３７の検出信号を基に１／２波長板駆動部３２ａにより１／２波長板３２を回転させる。１／２波長板３２を通過したＳ偏光成分は、偏光子１５、偏光子１６を反射し、出力端に導かれる。
【００３５】
遮光板１７ｃの開閉時間は、図６に示す様に、シャッタ閉センサ１７ａ、シャッタ開センサ１７ｂによって測定される。レーザ照射時間の調整時において、スイッチ３ｅにより設定されたあるレーザ照射時間Ｔに対して、ソレノイド６７の駆動信号の駆動時間がｔ１であったとする。この時に、ソレノイド６７の駆動信号ＯＮからシャッタ開センサ１７ｂのＯＦＦまでの時間の遅れがΔｔａ１、ソレノイド６７の駆動信号ＯＦＦからシャッタ閉センサ１７ａのＯＦＦまでの時間の遅れがΔｔａ２であると、遮光板１７ｃの開閉時間（遮光板１７ｃが開放された時間）Ｔａは、次式により表される。
【００３６】
Ｔａ＝ｔ１−Δｔａ１＋Δｔａ２
レーザ照射時間の調整時に、メモリ７０には予めこの開閉時間Ｔａを基準として記憶させておく。
【００３７】
装置使用時にフットスイッチ７が踏み込まれ、ソレノイド６７の駆動信号の駆動時間がｔ１で、ソレノイド６７の駆動信号ＯＮからシャッタ開センサ１７ｂのＯＦＦまでの時間の遅れがΔｔｂ１、ソレノイド６７の駆動信号ＯＦＦからシャッタ閉センサ１７ａのＯＦＦまでの時間の遅れがΔｔｂ２となり、これらが調整時とずれてしまうと、制御部６０は、遮光板１７ｃの開閉時間（遮光板１７ｃが開放された時間）Ｔｂを次式により演算する。
【００３８】
Ｔｂ＝ｔ１−Δｔｂ１＋Δｔｂ２
そして、制御部６０は、メモリ７０に記憶された開閉時間Ｔａと装置使用時の開閉時間Ｔｂの差ΔＴを次式により演算する。
【００３９】
ΔＴ＝Ｔｂ−Ｔａ
そして、制御部６０は、次にソレノイド６７を駆動させる駆動信号の駆動時間ｔ１１を次式により演算し補正する。
【００４０】
ｔ１１＝ｔ１−ΔＴ
制御部６０は、駆動信号の駆動時間ｔ１を駆動時間ｔ１１に変更することにより、実際のレーザ光の照射時間を設定したレーザ照射時間Ｔに近づけることができる。
【００４１】
なお、上記で基準とした開閉時間Ｔａは、可変される設定時間Ｔに対応した駆動時間ｔ１毎にメモリ７０に記憶させておいても良いが、次のようにしても良い。すなわち、ある設定時間Ｔに対応して得られている基準の時間Ｔａについて、その設定時間Ｔとの差をΔＳ＝Ｔ−Ｔａで計算し、可変される設定時間Ｔ（ｎ）に対応するＴａ（ｎ）ついては、その差ΔＳ分だけ減算した時間として計算する。これにより、可変設定される設定時間Ｔ（ｎ）に対応した基準の動作時間Ｔａが定められる。時間Ｔｂについては、単純に、シャッタ開センサ１７ｂがＯＦＦとなる時点からシャッタ閉センサ１７ａがＯＦＦとなる時点までの時間として求めても良い。
【００４２】
また、基準の動作時間Ｔａと設定時間Ｔとの差が、実用上無視できる誤差範囲であれば（照射時間Ｔの時間が長いときは、その許容範囲の時間も長くなる）、ΔＴは時間Ｔｂと設定時間Ｔとの差として計算しても良い。
【００４３】
なお、上記の実施形態におけるシャッタ閉センサ１７ａ、シャッタ開センサ１７ｂは、遮光板１７ｃの駆動動作の異常を検知するセンサを兼ねている。制御部６０は開閉時間Ｔａと装置使用時の開閉時間Ｔｂの差ΔＴをメモリ７０に記憶させる。また、開閉時間Ｔａと装置使用時の開閉時間Ｔｂの差ΔＴを予めメモリ７０に記憶されている許容差Ｒ（例えば、２０ｍｓ）と比較し、差ΔＴが許容差Ｒを超えて知されたときは、制御部６０は、遮光板１７ｃの動作が異常であると判断し、レーザ光源９を停止すると共に、コントロールボックス３に配置された表示器３ｆにエラーメッセージを表示する。また、制御部６０は、コントロールボックス３のスイッチ３ｇが押されると、メモリ７０に記憶されていた開閉時間Ｔａと装置使用時の開閉時間Ｔｂの差ΔＴを表示器３ｆに表示させる。装置のメンテナンスをする場合に、この差ΔＴの蓄積データを確かめることにより、ソレノイド６７や引張りバネ１７ｆの経年変化による劣化具合を確認することができる。例えば、定期的にこの差ΔＴの蓄積データを確かめることにより、ソレノイド６７の交換時期を把握することができる。
【００４４】
上記実施の形態はシャッタ閉センサ１７ａ、シャッタ開センサ１７ｂによって遮光板１７ｃの動き（遮光板１７ｃの開放時間）を検知したが、受光素子を利用してレーザ光の照射時間を直接検知する変容例を図７に示す。図７に示す変容例は上記実施の形態に対して同一部材には同一符号を付してある。図７において、１４はＳ偏光成分の一部を反射させて、残りを透過する光路分岐部材としてのビームスプリッタであり、遮光板１７ｃより患部側の光路に配置されている。ビームスプリッタ１４の反射側の光路上には、受光素子１９が配置されている。受光素子１９の出力からシャッタユニット１７を通過したレーザ光が検知されることにより、遮光板１７ｃの動きが検知される。
【００４５】
制御部６０は、図８に示す様に、遮光板１７ｃの開閉時間を受光素子１９により測定する。レーザ照射時間の調整時において、設定されたレーザ照射時間Ｔに対応するソレノイド６７の駆動信号の駆動時間がｔ１であり、この時に受光素子１９の受光時間がｔ２であると、メモリ７０には予めこの受光時間ｔ２を記憶しておく。
【００４６】
装置使用時にフットスイッチ７が踏み込まれ、ソレノイド６７の駆動信号の駆動時間がｔ１で、受光素子１９の受光時間がｔ３となり、調整時とずれてしまうと、制御部６０は、メモリ７０に記憶された受光時間ｔ２と装置使用時の受光時間ｔ３の差ΔＴを次式により演算する。
【００４７】
ΔＴ＝ｔ３−ｔ２
そして、制御部６０は、ソレノイド６７の駆動信号の駆動時間ｔ１２を次式により演算し補正する。
【００４８】
ｔ１２＝ｔ１−ΔＴ
制御部６０は、駆動信号の駆動時間ｔ１を駆動時間ｔ１２に変更することにより、実際のレーザ光の照射時間を設定したレーザ照射時間Ｔに近づけることができる。なお、この例の場合、ｔ２は設定時間Ｔと見なすことができるので、必ずしもｔ２を調整時に記憶しておく必要はなく、ΔＴは装置使用時に検出される受光時間ｔ３と設定時間Ｔとの差として求めても良い。
【００４９】
上記では、フットスイッチ７が踏み込まれ、一回目に測定した遮光板１７ｃの開閉時間Ｔｂ又はｔ３を次のレーザ照射の補正に用いているが、数回分の遮光板１７ｃの開閉時間Ｔｂ又はｔ３をサンプリングし、その平均を次のレーザ照射の補正に用いてもよい。
【００５０】
このようにソレノイド６７を駆動させる駆動時間を補正することにより、ソレノイド６７や引張りバネ１７ｆが、装置を使用している間に経年変化で劣化し、その応答速度や特性が変化しても、設定されたレーザ照射時間通りにレーザ光を照射することができる。特に、眼科治療において虹彩の組織を破壊するイリドトミーの治療では、レーザの照射時間が２０ｍｓ程度と短く、その許容範囲も±２０％と厳しいため、シャッタ等の駆動手段を正確に制御することは重要である。
【図面の簡単な説明】
【００５１】
【図１】装置本体の外観を示す図である。
【図２】装置内部の光学系を示す図である。
【図３】制御系を示すブロック図である。
【図４】レーザ光源の内部を示す図である。
【図５】治療光用シャッタユニットの構造を示す図である。
【図６】ソレノイド駆動信号とシャッタセンサ信号の変化を示す図である。
【図７】変容例である装置内部の光学系を示す図である。
【図８】ソレノイド駆動信号と受光素子信号の変化を示す図である。
【符号の説明】
【００５２】
１  装置本体
３  コントロールボックス
３ｅ  スイッチ
３ｆ  表示器
９  レーザ光源
１４  ビームスプリッタ
１７  治療光用シャッタユニット
１７ａ  シャッタ閉センサ
１７ｂ  シャッタ開センサ１
１７ｃ  遮光板
１７ｆ  引張りバネ
１９  受光素子
６０  制御部
６７  ソレノイド
７０  メモリ
【図１】
2005237709.tif 000003
【図２】
2005237709.tif 000004
【図３】
2005237709.tif 000005
【図４】
2005237709.tif 000006
【図５】
2005237709.tif 000007
【図６】
2005237709.tif 000008
【図７】
2005237709.tif 000009
【図８】
2005237709.tif 000010